(57)【要約】【課題】再生させたい部分（マークスタートアドレスからマークエンドアドレスまで）だけ再生を行う音声録音再生装置を提供する。【解決手段】アドレス制御部１５のアドレス制御により再生中のＡＤＰＣＭ符号化データの任意のアドレスがマークスタートアドレス、マークエンドアドレスとして音声メモリ部１３に格納されるので、所望のＡＤＰＣＭ符号化データを任意の時間Ａの部分だけを再度再生したい場合には、設定入力部１４によりマークアドレスを指定することにより、時間ＡからのＡＤＰＣＭ符号化データだけを迅速に再生することができる。【選択図】        図１
2004272008.tif 000002
【特許請求の範囲】
【請求項１】
入力されたアナログの音声データをデジタルの音声データに変換するＡ／Ｄ変換手段と、
デジタルの音声データをＡＤＰＣＭ信号に符号化するＡＤＰＣＭ符号化手段と、
符号化したデータを格納するメモリと、
該メモリから符号化データを所定のビット数ずつ読み出すメモリ制御手段と、
読み出した符号化データを復号化するＡＤＰＣＭ復号化手段と、
復号化したデジタルの音声データをアナログの音声データに変換するＤ／Ａ変換手段とを有し、
録音した音声を再生出力する音声録音再生装置において、
前記ＡＤＰＣＭ符号化手段のビットレートを制御する符号化ビットレート制御手段に対してビットレートの設定を行うビットレート設定手段と、
前記メモリから読み出されたＡＤＰＣＭ符号化データのヘッダからビットレートと入力ビット数を抽出する抽出手段と、
前記抽出手段から抽出したビットレートに基づいて前記ＡＤＰＣＭ復号化手段のビットレートを制御する復号化ビットレート制御手段と、
前記抽出手段から抽出した入力ビット数に基づいて前記メモリ制御手段の入力ビット数を制御する入力ビット数制御手段と、
前記メモリに格納されたＡＤＰＣＭ符号化データのマークスタートアドレス、マークエンドアドレスに基づいて、ＡＤＰＣＭ符号化データを制御する制御手段と、
前記メモリから読み出されたＡＤＰＣＭ符号化データのマークスタートアドレス、マークエンドアドレスに基づいて、ＡＤＰＣＭ符号化データを制御する制御手段を備えていることを特徴とする音声録音再生装置。
【請求項２】
請求項１記載の音声録音再生装置において、
前記メモリから読み出されたＡＤＰＣＭ符号化データのマークスタートアドレス、マークエンドアドレスに基づいてＡＤＰＣＭ符号化データを制御する制御手段と、
前期メモリへのＡＤＰＣＭ符号化データのマークスタートアドレス、マークエンドアドレスの上書き格納、追記格納の切換を可能にする制御手段を備えていることを特徴とする音声録音再生装置。
【請求項３】
請求項２記載の音声録音再生装置において、
前記メモリから読み出されたＡＤＰＣＭ符号化データのマークスタートアドレス、マークエンドアドレスに基づいて、ＡＤＰＣＭ符号化データを制御する制御手段と、
前期メモリへのＡＤＰＣＭ符号化データのマークスタートアドレス、マークエンドアドレスの上書き格納、追記格納の切換を可能にする制御手段と、
前記メモリへ格納されたマークスタートアドレス、マークエンドアドレスを制御する制御手段を備えていることを特徴とする音声録音再生装置。
【発明の詳細な説明】
【０００１】
【発明の属する技術分野】
本発明は、音声録音再生装置に関し、より詳細には、適応差分パルス変調（ＡＤＰＣＭ）方式による音声の圧縮符号化・復号化を行う音声録音再生装置に関するものである。
【０００２】
【従来の技術】
一般に、ＡＤＰＣＭは、アナログ信号をディジタル圧縮信号（ＡＤＰＣＭ符号化データ）に変換する送信側と、ディジタル圧縮信号（ＡＤＰＣＭ符号化データ）をアナログ信号に変換する受信側を有している。
【０００３】
図９は、従来のＡＤＰＣＭ方式による音声データ録音再生装置の概略構成を示すブロック図である。
【０００４】
送信側は、データ入力手段であるマイク１、デジタル変換手段であるＡ／Ｄ変換器２、データ符号化手段であるＡＤＰＣＭ符号器３から構成されている。また受信側は、データ復号手段であるＡＤＰＣＭ復号器１１、アナログ変換手段であるＤ／Ａ変換器１０、データ出力手段であるスピーカー９から構成されている。
【０００５】
そして、ＡＤＰＣＭ符号器３とＡＤＰＣＭ復号器１１には、メモリ制御部Ａ４、メモリ制御部Ｂ１２、ＲＡＭ（Ｒａｎｄｏｍ  Ａｃｃｅｓｓ  Ｍｅｍｏｒｙ）やフラッシュメモリ等のデータ記憶手段である音声メモリ部１３が接続されている。
【０００６】
設定入力部１４は、ビットレート制御部Ａ５とビットレート制御部Ｂ７、入力ビット数制御部８が接続されており、さらにビットレート制御部Ａ５はＡＤＰＣＭ符号器３に、ビットレート制御部Ｂ７はＡＤＰＣＭ復号器１１に接続されている。また、入力ビット数ビット制御部８はメモリ制御部Ｂ１２に接続されている。
【０００７】
図１０に録音時の音声データ録音再生装置の動作処理を示す。本構成において、録音時には、マイク１から入力されたアナログ音声信号は、Ａ／Ｄ変換器２によりデジタルの音声信号に変換される。このデジタルの音声信号は、ＡＤＰＣＭ符号器３に入力され、所定のＡＤＰＣＭビットレートで符号化される。符号化された音声データは、メモリ制御部Ａ４を介して、音声メモリ部１３に格納される。
【０００８】
図１１に再生時の音声データ録音再生装置の動作処理を示す。再生時には、メモリ制御部Ｂ１２を介して所定のビット数ずつ符号化音声データが音声メモリ部１３から読み出され、ＡＤＰＣＭ復号器１１で所定のＡＤＰＣＭビットレートで復号され、Ｄ／Ａ変換器１０でアナログ音声信号に変換されて、スピーカー９から出力される。
【０００９】
上述したＡＤＰＣＭ符号器３のビットレートならびに内部の各種パラメータは、設定入力部１４から送られてくる信号に応答してビットレート制御部Ａ５からの制御信号によって設定される。
【００１０】
また、ＡＤＰＣＭ復号器１１のビットレートならびに内部の各種パラメータは、データ抽出部６から抽出されたデータに応答してビットレート制御部Ｂ７からの制御信号によって設定される。
【００１１】
また、メモリ制御部Ｂ１２内のＡＤＰＣＭ復号器１１への符号音声データ読出しビット数（入力ビット数）は、データ抽出部６から抽出されたデータに応答して入力ビット数制御部８からの制御信号によって設定される。
【００１２】
なお、ＡＤＰＣＭ符号化／復号化技術については、公知の技術であるので、ここでは説明を省略する。
【００１３】
【発明が解決しようとする課題】
上述した従来技術では、録音時は、使用者は、まず、設定入力部１４により、ＡＤＰＣＭ符号化するときのＡＤＰＣＭビットレートを設定する。
【００１４】
ＡＤＰＣＭ符号化器３により変換されたＡＤＰＣＭの符号化データの１サンプルあたりのビット数（符号化ビット数）は、２〜５ビットであり、ＡＤＰＣＭビットレートと符号化ビット数の関係は次のようになる。
【００１５】
2004272008.tif 000003
【００１６】
例えば、録音時のＡＤＰＣＭビットレートが３２ｋｂｐｓに設定された場合、録音動作を行うと、ＡＤＰＣＭ符号器３で符号化された符号化データは４ビットに符号化され、メモリ制御部Ａ４を介して音声メモリ部１３に格納される。
【００１７】
上記の符号化音声データを再生するには、使用者は、まず、設定入力部１４より、ＡＤＰＣＭ復号器１１のＡＤＰＣＭビットレートは３２ｋｂｐｓ、メモリ制御部Ｂ１２の入力ビット数は、４ビットになるように設定を行う。その後、再生動作を開始し、音声メモリ部１３からＡＤＰＣＭ符号化データが４ビット読み込まれ、ビットレート３２ｋｂｐｓのＡＤＰＣＭ復号器１１で復号化されたあと、Ｄ／Ａ変換器１０でアナログ音声データに正しく変換され、スピーカー９より出力される。
【００１８】
このとき、上記のＡＤＰＣＭ符号化データが音声メモリ部１３に示すように複数録音された場合（図１２参照）、先頭から録音したＡＤＰＣＭ符号化データから順番に再生していかなくてはならない。ただし、再生する際にＡＤＰＣＭ符号化データのスタートアドレスを指定することで、所望のＡＤＰＣＭ符号化データから再生させることは可能であり、また、再生中に次のＡＤＰＣＭ符号化データのスタートアドレスを指定することで、あるいは、前のＡＤＰＣＭ符号化データのスタートアドレスを指定することで、現在再生中のＡＤＰＣＭ符号化データをスキップして再生を行うことはできる。
【００１９】
ところが、この場合においても所望のＡＤＰＣＭ符号化データは先頭から再生しなければならないため、再生の途中で、例えば、２分間録音されたＡＤＰＣＭ符号化データのうち残りの３０秒の部分だけをもう一度聞きたい（再生したい）と思っても、そのＡＤＰＣＭ符号化データの先頭から再生させなくてはならない。
【００２０】
本発明では、所望のＡＤＰＣＭ符号化データの所定の再生開始位置をマークスタートアドレス、再生終了位置をマークエンドアドレスとして設定し、再生の際に設定したマークアドレスを指定するようなアドレス管理機能を備えることにより、再生させたい部分（マークスタートアドレスからマークエンドアドレスまで）だけ再生を行えることを目的としている。
【００２１】
前記アドレス管理機能においては、マークアドレスを格納する音声のアドレス格納モードでは、１つの部分音声データのマークスタートアドレス、マークエンドアドレスしか格納することができない。
【００２２】
例えば、２分間録音されたＡＤＰＣＭ符号化データの最初の３０秒間と最後の３０秒間を部分再生させたい場合には、まず最初の３０秒間だけのマークスタートアドレス、マークエンドアドレスを音声メモリ部１３内のアドレス管理領域に格納し、最初の３０秒間の部分再生処理を行い、そのあと最後の３０秒間だけのマークスタートアドレス、マークエンドアドレスを音声メモリ部１３内のアドレス管理領域に格納し、最後の３０秒間の部分再生処理を行わなければならず、最初の３０秒間、最後の３０秒間と連続して部分再生を行うことができない。
【００２３】
そこで本発明では、音声メモリ部１３内のアドレス管理領域に複数の符号化データのマークスタートアドレス、マークエンドアドレスを追記格納できるようにアドレス管理機能にアドレスの追記モードを設け、マークアドレスの格納モードとマークアドレスの追記モードとのモード切換を行うことにより、複数の部分データを連続して再生を行えることも目的としている。
【００２４】
前述のモード切換は、音声メモリ部１３内のアドレス管理領域に複数の符号化データのマークスタートアドレス、マークエンドアドレスを追記格納できる。
【００２５】
しかし、複数の部分再生データのマークスタートアドレス、マークエンドアドレスが設定されていても、どこにどのような内容の部分再生データのマークアドレスを設定したのかが不明な場合には、所望の部分再生データが見つかるまで格納された部分音声データを最初から順番に再生、あるいはスキップしながら再生を行わなければならない。
【００２６】
そこで本発明では、最初のマークスタートアドレスで設定された部分音声データをこの部分音声データの先頭から設定された時間だけ再生を行い、設定された時間だけ再生されたら、次のマークスタートアドレスで設定された部分音声データへスキップし、この部分音声データの先頭から設定された時間だけ再生を行うようにするため、アドレス管理機能にマークアドレスを適当に制御し部分音声再生のスキップを行うスキップ機能を設けた。こうしてマークアドレスが設定された部分音声データの数だけ繰り返すことによって、目的の部分音声再生データを効率よく探し出すことを可能にすることも目的としている。
【００２７】
【課題を解決するための手段】
かかる目的を解決するため、請求項１に記載の発明は、入力されたアナログの音声データをデジタルの音声データに変換するＡ／Ｄ変換手段と、デジタルの音声データをＡＤＰＣＭ信号に符号化するＡＤＰＣＭ符号化手段と、符号化したデータを格納するメモリと、該メモリから符号化データを所定のビット数ずつ読み出すメモリ制御手段と、読み出した符号化データを復号化するＡＤＰＣＭ復号化手段と、復号化したデジタルの音声データをアナログの音声データに変換するＤ／Ａ変換手段とを有し、録音した音声を再生出力する音声録音再生装置において、ＡＤＰＣＭ符号化手段のビットレートを制御する符号化ビットレート制御手段に対してビットレートの設定を行うビットレート設定手段と、メモリから読み出されたＡＤＰＣＭ符号化データのヘッダからビットレートと入力ビット数を抽出する抽出手段と、抽出手段から抽出したビットレートに基づいてＡＤＰＣＭ復号化手段のビットレートを制御する復号化ビットレート制御手段と、抽出手段から抽出した入力ビット数に基づいてメモリ制御手段の入力ビット数を制御する入力ビット数制御手段と、メモリに格納されたＡＤＰＣＭ符号化データのマークスタートアドレス、マークエンドアドレスに基づいて、ＡＤＰＣＭ符号化データを制御する制御手段と、メモリから読み出されたＡＤＰＣＭ符号化データのマークスタートアドレス、マークエンドアドレスに基づいて、ＡＤＰＣＭ符号化データを制御する制御手段を備えていることを特徴とする。
【００２８】
請求項２に記載の発明は、請求項１記載の音声録音再生装置において、メモリから読み出されたＡＤＰＣＭ符号化データのマークスタートアドレス、マークエンドアドレスに基づいてＡＤＰＣＭ符号化データを制御する制御手段と、前期メモリへのＡＤＰＣＭ符号化データのマークスタートアドレス、マークエンドアドレスの上書き格納、追記格納の切換を可能にする制御手段を備えていることを特徴とする。
【００２９】
請求項３に記載の発明は、請求項２記載の音声録音再生装置において、メモリから読み出されたＡＤＰＣＭ符号化データのマークスタートアドレス、マークエンドアドレスに基づいて、ＡＤＰＣＭ符号化データを制御する制御手段と、前期メモリへのＡＤＰＣＭ符号化データのマークスタートアドレス、マークエンドアドレスの上書き格納、追記格納の切換を可能にする制御手段と、メモリへ格納されたマークスタートアドレス、マークエンドアドレスを制御する制御手段を備えていることを特徴とする。
【００３０】
【発明の実施の形態】
以下、本発明の実施の形態を図面を参照して説明する。
【００３１】
＜実施例１＞
図１は、実施例１における音声記録再生装置の構成を示す図である。図９のブロック図に対し音声メモリ部１３内のアドレス管理領域に格納するマークアドレスの取り扱いを制御するアドレス制御部１５をさらに設けた。
【００３２】
録音時には、マイク１から入力されたアナログ音声信号は、Ａ／Ｄ変換器２によりデジタルの音声信号に変換される。このデジタルの音声信号は、ＡＤＰＣＭ符号器３で符号化される。このときのＡＤＰＣＭ符号器３のＡＤＰＣＭビットレートは、設定入力部１４から入力され、ビットレート制御部Ａ５によって設定される。符号化された音声データは、メモリ制御部Ａ４を介して、音声メモリ部１３に格納される。
【００３３】
上述したように、ＡＤＰＣＭ符号器３で符号化された符号化データは、メモリ制御部Ａ４を介して音声メモリ部１３に格納されるが、図２のマーク設定時の動作処理に示すように、このときにＡＤＰＣＭビットレートのデータと、符号化ビット数をＡＤＰＣＭ符号化データのヘッダとして付加しておく。
【００３４】
さらにこのときにＡＤＰＣＭ符号化データのインデックス番号、スタートアドレスを音声メモリ部１３内にあるアドレス管理領域に格納しておく（図１２参照）。このインデックス番号は、記録された順番に大きくなっていく。
【００３５】
次に図３を参照して実施例１の再生処理を説明する。
【００３６】
１−１．再生時には、まず、設定入力部１４からインデックス番号を入力し、アドレス制御部１５によって入力されたインデックス番号に応じたスタートアドレスが選択され、そのスタートアドレスによってＡＤＰＣＭ符号化データが選択される。なお、インデックス番号を入力しない場合は、先頭に録音されたＡＤＰＣＭ符号化データが選択される。
【００３７】
１−２．次に、選択されたＡＤＰＣＭ符号化データは、データ抽出部６によりＡＤＰＣＭ符号化データのヘッダからＡＤＰＣＭビットレートのデータと、符号化されたときの符号化ビット数が抽出される。抽出されたＡＤＰＣＭビットレートのデータはビットレート制御部Ｂ７に、抽出された符号化ビット数（入力ビット数）は、入力ビット数制御部８に入力される。
ビットレート制御部Ｂ７では、抽出されたＡＤＰＣＭビットレートデータが入力され、ビットレート制御器Ｂ７からの制御信号によって、ＡＤＰＣＭ復号器１１のＡＤＰＣＭビットレートならびに復号器内部の各種パラメータが設定される。
入力ビット数制御部８では、抽出された符号化ビット数（入力ビット数）が入力され、入力ビット数制御部８からの制御信号によって、メモリ制御部Ｂ１２の入力ビット数が設定される。
【００３８】
１−３．上記設定完了後、再生を開始し、ＡＤＰＣＭ符号化データは、メモリ制御部Ｂ１２を介してＡＤＰＣＭ復号器１１へ読み出され、ＡＤＰＣＭ復号器１１でデジタル音声データに復号され、Ｄ／Ａ変換器１０でアナログ音声信号に変換されて、スピーカー９より出力される。
【００３９】
１−４．再生中に次のＡＤＰＣＭ符号化データを再生したい場合は、設定入力部１４から次のＡＤＰＣＭ符号化データのインデックス番号を入力し、前のＡＤＰＣＭ符号化データを再生したい場合には、設定入力部１４から前のＡＤＰＣＭ符号化データのインデックス番号を入力して所望のＡＤＰＣＭ符号化データを選択する。そのあと１−２．と同じ処理を行い、スキップされたＡＤＰＣＭ符号化データが再生される。
【００４０】
１−５．再生中のＡＤＰＣＭ符号化データにおいて、ＡＤＰＣＭ符号化データの所定の位置から再度再生を行いたい場合には、まずＡＤＰＣＭ符号化データ再生中に、所定の位置から再生させたいところでマークボタン１４１を操作する。このときアドレス制御部１５はマークボタン１４１が操作されたときのＡＤＰＣＭ符号化データのアドレスを取得し、取得されたアドレスは、音声メモリ部１３内のアドレス管理領域にマークスタートアドレスとして格納される。
【００４１】
１−６．次に部分再生を終了させたいところで、マーク終了ボタン１４２を操作する。このときアドレス制御部１５は、マーク終了ボタン１４２が操作されたときのＡＤＰＣＭ符号化データのアドレスを取得し、所得されたアドレスは、音声メモリ部１３内のアドレス管理領域にマークエンドアドレスとして格納される。さらに再生中のＡＤＰＣＭ符号化データのビットレートのデータと、符号化ビット数もマークアドレスと一緒にアドレス管理領域に格納される。
【００４２】
１−７．マークアドレスが設定されたＡＤＰＣＭ符号化データを再生する場合には、まず、マーク再生ボタン１４３を操作し、アドレス制御部１５によってマークスタートアドレスで設定されたＡＤＰＣＭ符号化データを選択する。
【００４３】
１−８．次に、データ抽出部６により音声メモリ部１３内のアドレス管理領域に格納されているマークアドレスが設定されたときのＡＤＰＣＭ符号化データのＡＤＰＣＭビットレートのデータと、符号化されたときの符号化ビット数が抽出される。抽出されたＡＤＰＣＭビットレートのデータはビットレート制御部Ｂ７に、抽出された符号化ビット数（入力ビット数）は、入力ビット数制御部８に入力される。ビットレート制御部Ｂ７では、抽出されたＡＤＰＣＭビットレートデータが入力され、ビットレート制御器Ｂ７からの制御信号によって、ＡＤＰＣＭ復号器１１のＡＤＰＣＭビットレートならびに復号器内部の各種パラメータが設定される。入力ビット数制御部８では、抽出された符号化ビット数（入力ビット数）が入力され、入力ビット数制御部８からの制御信号によって、メモリ制御部Ｂ１２の入力ビット数が設定される。
上記設定完了後、ＡＤＰＣＭ符号化データは、マークスタートアドレスが設定されたところから再生を開始し、メモリ制御部Ｂ１２を介してＡＤＰＣＭ復号器１１でデジタル信号に変換され、Ｄ／Ａ変換器１０でアナログ音声信号に変換されて、スピーカー９より出力され、マークエンドアドレスが設定されたところまで再生を行ったら、再生を終了する。
【００４４】
以上の説明により実施例１によれば、マークアドレス設定手段により再生中のＡＤＰＣＭ符号化データの任意のアドレスがマークスタートアドレス、マークエンドアドレスとしてメモリに格納されるので、所望のＡＤＰＣＭ符号化データを任意の時間Ａ（ｔ０〜ｔ１）の部分だけを再度再生したい場合には、マークアドレスを指定することにより、所望のＡＤＰＣＭ符号化データを任意の時間Ａ（ｔ０〜ｔ１）のＡＤＰＣＭ符号化データだけを迅速に再生することができる。
また、マークスタートアドレス、マークエンドアドレスを音声メモリ内のアドレス管理領域に格納するときに、ＡＤＰＣＭ符号化データのビットレート、入力ビット数も同時に格納されるので、任意の時間Ａ（ｔ０〜ｔ１）からのＡＤＰＣＭ符号化データの再生時には、データ抽出手段によりマークスタートアドレス、マークエンドアドレスを格納する時に同時に格納されたビットレートならびに入力ビット数を抽出し、抽出されたビットレートでＡＤＰＣＭ復号化手段のビットレートを制御するとともに、抽出された入力ビット数でメモリ制御手段の入力ビット数を制御するようにしたので、任意の時間Ａ（ｔ０〜ｔ１）からのＡＤＰＣＭ符号化データの再生であっても録音された音声を適性に再生することができる。
【００４５】
＜実施例２＞
図４は、実施例２における音声記録再生装置の構成を示す図である。
【００４６】
録音時には、マイク１から入力されたアナログ音声信号は、Ａ／Ｄ変換器２によりデジタルの音声信号に変換される。
【００４７】
このデジタルの音声信号は、ＡＤＰＣＭ符号器３で符号化される。このときのＡＤＰＣＭ符号器３のＡＤＰＣＭビットレートは、設定入力部１４から入力され、ビットレート制御部Ａ５によって設定される。符号化された音声データは、メモリ制御部Ａ４を介して、音声メモリ部１３に格納される。
【００４８】
上述したように、ＡＤＰＣＭ符号器３で符号化された符号化データは、メモリ制御部Ａ４を介して音声メモリ部１３に格納されるが、図５のマーク設定時の動作処理に示すように、このときにＡＤＰＣＭビットレートのデータと、符号化ビット数をＡＤＰＣＭ符号化データのヘッダとして付加しておく。
【００４９】
さらにこのときにＡＤＰＣＭ符号化データのインデックス番号、スタートアドレスを音声メモリ部１３内にあるアドレス管理領域に格納しておく（図１２参照）。このインデックス番号は、記録された順番に大きくなっていく。
【００５０】
次に図６を参照して実施例２の再生処理を説明する。
【００５１】
２−１．再生時には、まず、設定入力部１４からインデックス番号を入力し、アドレス制御部１５によって入力されたインデックス番号に応じたスタートアドレスが選択され、そのスタートアドレスによってＡＤＰＣＭ符号化データが選択される。なお、インデックス番号を入力しない場合は、先頭に録音されたＡＤＰＣＭ符号化データが選択される。
【００５２】
２−２．次に、選択されたＡＤＰＣＭ符号化データは、データ抽出部６によりＡＤＰＣＭ符号化データのヘッダからＡＤＰＣＭビットレートのデータと、符号化されたときの符号化ビット数が抽出される。抽出されたＡＤＰＣＭビットレートのデータはビットレート制御部Ｂ７に、抽出された符号化ビット数（入力ビット数）は、入力ビット数制御部８に入力される。
ビットレート制御部Ｂ７では、抽出されたＡＤＰＣＭビットレートデータが入力され、ビットレート制御器Ｂ７からの制御信号によって、ＡＤＰＣＭ復号器１１のＡＤＰＣＭビットレートならびに復号器内部の各種パラメータが設定される。
入力ビット数制御部８では、抽出された符号化ビット数（入力ビット数）が入力され、入力ビット数制御部８からの制御信号によって、メモリ制御部Ｂ１２の入力ビット数が設定される。
【００５３】
２−３．上記設定完了後、再生を開始し、ＡＤＰＣＭ符号化データは、メモリ制御部Ｂ１２を介してＡＤＰＣＭ復号器１１へ読み出され、ＡＤＰＣＭ復号器１１でデジタル音声データに復号され、Ｄ／Ａ変換器１０でアナログ音声信号に変換されて、スピーカー９より出力される。
【００５４】
２−４．再生中に次のＡＤＰＣＭ符号化データを再生したい場合は、設定入力部１４から次のＡＤＰＣＭ符号化データのインデックス番号を入力し、前のＡＤＰＣＭ符号化データを再生したい場合には、設定入力部１４から前のＡＤＰＣＭ符号化データのインデックス番号を入力して所望のＡＤＰＣＭ符号化データを選択する。そのあと２−２．と同じ処理を行い、スキップされたＡＤＰＣＭ符号化データが再生される。
【００５５】
２−５．再生中のＡＤＰＣＭ符号化データにおいて、例えば、任意の時間Ａ（ｔ０〜ｔ１）、Ｂ（ｔ２〜ｔ３）の２ヶ所の部分を再度再生を行いたい場合には、まず、設定入力部１４より格納モード切換を入力し、アドレス制御部１５内のモード切換部１５１により、音声メモリ部１３内のアドレス管理領域へのデータ格納モードを追記モードに設定する。
【００５６】
２−６．次にＡＤＰＣＭ符号化データ再生中に、Ａ（ｔ０）のところでマークボタン１４１を操作する。マークボタン１４１が押されたら、アドレス制御部１５は、マークボタン１４１が押されたところのＡＤＰＣＭ符号化データのアドレスを取得し、取得したアドレスをマークスタートアドレスＡとして、音声メモリ部１３内のアドレス管理領域へ格納する。
Ａ（ｔ１）のところで、マーク終了ボタン１４２が押されたら、アドレス制御部１５は、マーク終了ボタン１４２が押されたところのＡＤＰＣＭ符号化データのアドレスを取得し、取得したアドレスをマークエンドアドレスＡとして、音声メモリ部１３内のアドレス管理領域へ格納する。
【００５７】
２−７．引き続き、Ｂ（ｔ２）のところで、マークボタン１４１が押されると、アドレス制御部１５は、マークボタン１４１が押されたところのＡＤＰＣＭ符号化データのアドレスを取得し、取得したアドレスをマークスタートアドレスＢとして、音声メモリ部１３内のアドレス管理領域へ格納する。
Ｂ（ｔ３）のところで、マーク終了ボタン１４２が押されたら、アドレス制御部１５は、マーク終了ボタン１４２が押されたところのＡＤＰＣＭ符号化データのアドレスを取得し、取得したアドレスをマークエンドアドレスＢとして、音声メモリ部１３内のアドレス管理領域へ格納する。
【００５８】
２−８．このとき、再生中のＡＤＰＣＭ符号化データのビットレートのデータと、符号化ビット数もＡ、Ｂそれぞれのマークアドレスと一緒にアドレス管理領域に格納される。また、Ａ、Ｂそれぞれのマークアドレスのインデックス番号もアドレス管理領域に格納しておく。このインデックス番号は、記録された順番に大きくなっていく。
【００５９】
２−９．任意の時間Ａ（ｔ０〜ｔ１）のＡＤＰＣＭ符号化データを再生する場合には、まず設定部１４からマークアドレスＡのインデックス番号を入力し、アドレス制御部１５によってマークスタートアドレスＡで設定されたＡＤＰＣＭ符号化データを選択し、マーク再生ボタン１４３を操作する。マークアドレスのインデックス番号を入力しない場合には、先頭に格納されたマークアドレスが選択される。
そのあと、１−８．と同じ処理を行い、任意の時間Ａ（ｔ０〜ｔ１）のＡＤＰＣＭ符号化データが再生される。アドレス制御部１５では、マークエンドアドレスが監視されており、マークエンドアドレスＡで設定されたアドレスまでＡＤＰＣＭ符号化データが再生されたら、アドレス制御部１５は、マークスタートアドレスＢで設定されたＡＤＰＣＭ符号化データを選択し、１−８．と同じ処理を行い、任意の時間Ｂ（ｔ２〜ｔ３）のＡＤＰＣＭ符号化データが再生される。
【００６０】
２−１０．部分データの再生中に次の部分データを再生したい場合は、設定入力部１４から次の部分データのインデックス番号を入力し、また前の部分データを再生したい場合には、設定入力部１４から前の部分データのインデックス番号を入力して所望の部分のＡＤＰＣＭ符号化データを選択する。そのあと１−８．と同じ処理を行い、スキップされたＡＤＰＣＭ符号化データが再生される。
【００６１】
以上の説明により実施例２によれば、追記格納モードを選択することにより、音声アドレスメモリ部に所望のＡＤＰＣＭ符号化データの任意の時間Ａ、Ｂ、Ｃ．．．．あるいは、ＤというＤＰＣＭ符号化データの任意の時間Ｄ’、ＥというＡＤＰＣＭ符号化データの任意の時間Ｅ’．．．．と複数の部分データのマークスタートアドレス、マークエンドアドレスを格納することができるので、最初に設定（マークスタートアドレス、マークエンドアドレスの格納）を行えば、実施例１のように音声メモリ部内のアドレス管理領域へのマークスタートアドレス、マークエンドアドレスの再格納をする必要はない。
部分データ再生の際は、マークエンドアドレスを監視しておき、最初に再生を行う部分データのマークエンドアドレスまで再生したら、次のマークスタートアドレスで指定される再生データへスキップして、そこから部分音声再生データの再生を行うので、複数の部分データを連続して再生することができる。
また、あとから追加することになった部分データがあった場合でも、音声メモリ部内のアドレス管理領域に追加する部分データのマークスタートアドレス、マークエンドアドレス追記格納させることもできる。
また、部分再生の途中で再生させたい別の部分データへスキップさせることも可能である。
【００６２】
＜実施例３＞
図７は、実施例３における音声記録再生装置の構成を示す図である。
【００６３】
通常録音時、マーク設定時および通常再生時の動作は、上記実施例２の場合と同じである（図５、図６参照）。
【００６４】
次に図８を参照して実施例３の再生処理を説明する。
【００６５】
３−１．複数のマークアドレスが設定された内容が不明な部分データを再生する場合には、まず、設定制御部１４からアドレス制御部１５内のマークアドレス制御部１５２のスキップ再生時間をセットする。
【００６６】
３−２．次に、スキップ再生ボタン１４４を操作する。スキップ再生ボタンが押されると、アドレス制御部１５によって、音声メモリ部１３内のアドレス管理領域に格納された先頭のマークアドレスＡが選択され、その先頭のマークスタートアドレスＡで設定されたＡＤＰＣＭ符号化データを選択し、１−８．と同じ処理を行い、最初に設定された任意の時間ＡのＡＤＰＣＭ符号化データの再生が開始される。
【００６７】
３−３．アドレス制御部１５内のマークアドレス制御部１５２にセットされた時間分の再生が行われたら、マークアドレス制御部１５２は次に格納されているマークアドレスＢを選択し、マークスタートアドレスＢで設定されたＡＤＰＣＭ符号化データを選択し、１−８．と同じ処理を行い、次に設定された任意の時間ＢのＡＤＰＣＭ符号化データの再生が開始される。
【００６８】
３−４．アドレス制御部１５内のマークアドレス制御部１５２にセットされた時間分の再生が行われたら、マークアドレス制御部１５２は次に格納されているマークアドレスＣを選択し、マークスタートアドレスＣで設定されたＡＤＰＣＭ符号化データを選択し、１−８．と同じ処理を行い、次に設定された任意の時間ＣのＡＤＰＣＭ符号化データの再生が開始される。
【００６９】
３−５．上記の３−２〜３−４と同じ処理をマークアドレスが設定された数だけ繰り返す。スキップ再生の途中で、所望の任意の時間の部分再生データが見つかった場合、通常の再生ボタンを操作する。通常の再生ボタンを操作することにより、スキップ再生機能は解除され、通常の再生動作を行い、所望の部分再生データがマークエンドアドレスまで再生を行ったら、部分再生終了あるいは、引き続き、連続部分再生動作を行う。
【００７０】
以上の説明により実施例３記載の発明によれば、マークアドレス制御手段により、マークスタートアドレスで設定された部分データを設定された時間だけ再生を行ったあと、次のマークスタートアドレスで設定された部分データへスキップし、設定された時間だけ再生を行う。これをマークスタートアドレスが設定された部分音声データの数だけ繰り返す。
通常、再生を行う部分データのマークスタートアドレス、マークエンドアドレスが複数存在し、どのようなデータか不明な場合は、所望の部分再生データが見つかるまで格納された部分データを最初から順番に再生しなくてはいけないが、この機能を使用することによって、複数のマークスタートアドレス、マークエンドアドレスで設定された部分データの先頭だけを確認していくことができるので、所望の部分再生データを迅速に見つけることができる。
また、部分データのスキップ再生実行中に所望の部分再生データが見つかった場合には、そこで再生ボタンを押下することにより、スキップ再生モードは解除され、通常の再生動作を行い、所望の部分再生データがマークエンドアドレスまで再生を行ったら、部分再生終了あるいは、引き続き、連続部分再生動作を行うことが可能である。
【００７１】
【発明の効果】
本発明によれば、マークアドレス設定手段により再生中のＡＤＰＣＭ符号化データの任意のアドレスがマークスタートアドレス、マークエンドアドレスとしてメモリに格納されるので、所望のＡＤＰＣＭ符号化データを任意の時間Ａ（ｔ０〜ｔ１）の部分だけを再度再生したい場合には、マークアドレスを指定することにより、所望のＡＤＰＣＭ符号化データを任意の時間Ａ（ｔ０〜ｔ１）のＡＤＰＣＭ符号化データだけを迅速に再生することができる。
また、マークスタートアドレス、マークエンドアドレスを音声メモリ内のアドレス管理領域に格納するときに、ＡＤＰＣＭ符号化データのビットレート、入力ビット数も同時に格納されるので、任意の時間Ａ（ｔ０〜ｔ１）からのＡＤＰＣＭ符号化データの再生時には、データ抽出手段によりマークスタートアドレス、マークエンドアドレスを格納する時に同時に格納されたビットレートならびに入力ビット数を抽出し、抽出されたビットレートでＡＤＰＣＭ復号化手段のビットレートを制御するとともに、抽出された入力ビット数でメモリ制御手段の入力ビット数を制御するようにしたので、任意の時間Ａ（ｔ０〜ｔ１）からのＡＤＰＣＭ符号化データの再生であっても録音された音声を適性に再生することができる。
【図面の簡単な説明】
【図１】実施例１の音声録音再生装置の構成ブロック図である。
【図２】実施例１のマーク設定時の動作処理フローチャートである。
【図３】実施例１の音声再生時の動作処理フローチャートである。
【図４】実施例２の音声録音再生装置の構成ブロック図である。
【図５】実施例２、３のマーク設定時の動作処理フローチャートである。
【図６】実施例２の音声再生時の動作処理フローチャートである。
【図７】実施例３の音声録音再生装置の構成ブロック図である。
【図８】実施例３の音声再生時の動作処理フローチャートである。
【図９】従来の音声録音再生装置の構成ブロック図である。
【図１０】従来の音声録音再生装置の音声録音時の動作処理フローチャートである。
【図１１】従来の音声録音再生装置の音声再生時の動作処理フローチャートである。
【図１２】音声メモリ部１３のファイルフォーマットのイメージである。
【符号の説明】
１  マイク
２  Ａ／Ｄ変換器
３  ＡＤＰＣＭ符号器
４  メモリ制御部Ａ
５  ビットレート制御部Ａ
６  データ抽出部
７  ビットレート制御部Ｂ
８  入力ビット数制御部
９  スピーカー
１０  Ｄ／Ａ変換器
１１  ＡＤＰＣＭ復号器
１２  メモリ制御部Ｂ
１３  音声メモリ部
１４  設定入力部
１４１  マークボタン
１４２  マーク終了ボタン
１４３  マーク再生ボタン
１４４  スキップ再生ボタン
１５  アドレス制御部
１５１  モード切換部
１５２  マークアドレス制御部
【図１】
2004272008.tif 000004
【図２】
2004272008.tif 000005
【図３】
2004272008.tif 000006
【図４】
2004272008.tif 000007
【図５】
2004272008.tif 000008
【図６】
2004272008.tif 000009
【図７】
2004272008.tif 000010
【図８】
2004272008.tif 000011
【図９】
2004272008.tif 000012
【図１０】
2004272008.tif 000013
【図１１】
2004272008.tif 000014
【図１２】
2004272008.tif 000015